(57)【要約】【課題】使用前のマニフェスト等の管理票が収納されていたダンボール箱等を廃棄することなく再利用し、しかも使用後のマニフェスト等の管理票を容易に整然と綺麗な状態で保管することができ、長期間保管する際にも、保管した管理票の劣化及び埃等の付着を防止することができる管理票収納ケースを提供する。【解決手段】底部４と四方の側部３ａ、３ｂ、３ｃ、３ｄとを備えてなる箱体２の開放された上部を開閉自在に閉塞する蓋部６が設けられると共に、箱体２の底部４の上面にマニフェストＭを積み重ねた状態で綴じ込む綴込具７が設けられてなる管理票収納ケース１であって、箱体２に使用前のマニフェストＭが収納可能であり、且つ使用後の保管すべきマニフェストＭを箱体２の内部の綴込具７で綴じられた状態にして箱体２に収納可能になるようにした。【選択図】図１
2008105698.tif 000002
【特許請求の範囲】
【請求項１】
底部と四方の側部とを備えてなる箱体の開放された上部を開閉自在に閉塞する蓋部が設けられると共に、前記箱体の底部の上面に管理票を積み重ねた状態で綴じ込む綴込具が設けられてなる管理票収納ケースであって、前記箱体に使用前の管理票が収納可能であり、且つ使用後の保管すべき管理票を前記箱体の内部の綴込具で綴じられた状態にして前記箱体に収納可能になるようにしたことを特徴とする管理票収納ケース。
【請求項２】
前記管理票は１セットで複数枚綴りの紙面を有する産業廃棄物管理票であることを特徴とする請求項１記載の管理票収納ケース。
【請求項３】
前記箱体は前記蓋部を備えた一体的な展開形状であって、少なくとも前記底部と前記四方の側部と前記蓋部とが互いに境界をなす折曲線で折り曲げ可能に形成されているほか、前記蓋部の端部に設けられた差込片を差し込むための差込穴が前記箱体の所定箇所に形成されていることを特徴とする請求項１又は２記載の管理票収納ケース。
【請求項４】
前記箱体の底部の端部付近に所定間隔をあけて固定された２つの折曲可能な綴込帯を各管理票の端部付近に設けられた２つの穴に挿通すると共に、前記綴込帯を押止部材の通し穴に通して側方へ折り曲げた状態にして前記押止部材にスライド自在に設けられた係止片で固定することを特徴とする請求項１、２又は３記載の管理票収納ケース。
【発明の詳細な説明】
【技術分野】
【０００１】
本発明は、産業廃棄物管理票等の管理票を収納する管理票収納ケースに関する。
【背景技術】
【０００２】
近年、廃棄物の排出を抑制し、廃棄物の適正な分別、保管、収集、運搬、再生、処分等を適正に行うことによって、生活環境の保全及び公衆衛生の向上を図ることを目的とする廃棄物の処理及び清掃に関する法律が改正され、産業廃棄物を生ずる事業者が産業廃棄物の運搬又は処分を他人に委託する場合、運搬を受託した者や、処分を受託した者に対し、産業廃棄物管理票（以下、「マニフェスト」と云う）を交付することが義務付けられている。
【０００３】
このマニフェストは、１セットが、用途別に「Ａ票」、「Ｂ１票」、「Ｂ２票」、「Ｃ１票」、「Ｃ２票」、「Ｄ票」、「Ｅ票」と称せられる７枚綴りの感圧複写用紙により構成されている。その例として、図８にＡ票の紙面を図示してある。このようなマニフェストを用いて、産業廃棄物の運搬、焼却等の中間処理処分業者への引き渡しの確認照合を行い、最終処分まで適正に処理されたことを確認した後、マニフェストの写しを、環境省令で定める期間（平成１７年改正の施行規則によれば、５年間）、保管することが義務付けられている。
【０００４】
ところで、上記のマニフェストを保管するための収納具としては、従来、図９又は図１０に示すようなファイルが使用されていた。図９に示すファイル３０は、一般に市販されているものであり、折り畳み自在の台紙３１に綴込具３２を設け、この綴込具３２をマニフェストＭの端部に設けられている２つ穴１５ａ、１５ｂ（図８参照）に通して綴じるものである。ところが、このファイル３０は、マニフェストＭの保管枚数が少数に限られるという不都合がある。また、ファイル３０を棚等に立てた状態で保管する場合、ファイル３０が薄いために倒れやすく、保管状態が乱雑になるという不都合がある。また、ファイル３０を横積みにして保管する場合、ファイル３０自体の厚さに偏りがあるため、多数のファイル３０を整然と積み重ねることが困難であるという問題があった。
【０００５】
このような図９に示すファイル３０の欠点を解消すべくなされたものとして、図１０に示すファイル３５が市販されている。この図１０のファイル３５は、マニフェストＭの収容枚数によって背幅Ｌが変えられるようにしたものであり、両表紙３６ａ、３６ｂの端部に穴３７ａ、３７ｂが設けられ、夫々の穴３７ａ、３７ｂに紐３８を通して結ぶことにより、両表紙３６ａ、３６ｂを綴じた状態を保持することができるように構成されたものである。
【０００６】
マニフェストの保管を行うファイルとしては、従来から、上記のファイルが使用されているのが現状であるが、これらのファイルはいずれも、保管時において背表紙以外の三方が開放されているため、そこから埃等が付いたり、用紙が劣化したりするという不都合があった。
【０００７】
また、伝票等を収納する従来技術として、特許文献１に記載されている「伝票等のホルダー」は、弾性を有するＵ字形のホルダー本体を有し、該ホルダー本体には段部が形成されている底板と該底板に沿って該段部の近傍まで伸長する押え片とで構成されるシート係合部が設けられ、このシート係合部にシートを挟みこんで保持するものであり、上記の従来の収納具とは、伝票等の保持の方法も、外装も異なるものであるが、左右が開放されているため、そこから埃等が付いたり、用紙が劣化したりするという問題点は、上記の図９又は図１０に示すファイルと同様に未解決の状態である。
【特許文献１】特開平１０−３５１７１号公報
【発明の開示】
【発明が解決しようとする課題】
【０００８】
ところで、上記のマニフェストの場合、１セットで７枚綴りの感圧複写用紙を、例えば、小口で１００セット、大口で５００セットにして、１個のダンボール箱に収納して供給しているが、それに使用したダンボール箱は、マニフェストを使用した後には、特定の用途がなく、廃棄するのが通常であり、再利用の途が期待されていた。
【０００９】
本発明は、以上の事情に鑑みてなされたもので、使用前のマニフェスト等の管理票が収納されていたダンボール箱等を廃棄することなく再利用し、しかも使用後のマニフェスト等の管理票を容易に整然と綺麗な状態で保管することができ、長期間保管する際にも、保管した管理票の劣化及び埃等の付着を防止することができる管理票収納ケースを提供することを目的とする。
【課題を解決するための手段】
【００１０】
上記の目的を達成するために、本発明における請求項１による管理票収納ケースは、底部と四方の側部とを備えてなる箱体の開放された上部を開閉自在に閉塞する蓋部が設けられると共に、前記箱体の底部の上面に管理票を積み重ねた状態で綴じ込む綴込具が設けられてなる管理票収納ケースであって、前記箱体に使用前の管理票が収納可能であり、且つ前記使用後の保管すべき管理票を前記箱体の内部の綴込具で綴じられた状態にして前記箱体に収納可能になるようにしたことを特徴とする。
【００１１】
また、本発明による請求項２の管理票収納ケースは、請求項１において、前記管理票は１セットで複数枚綴りの紙面を有する産業廃棄物管理票であることを特徴とする。
【００１２】
また、本発明による請求項３の管理票収納ケースは、請求項１又は２において、前記箱体は前記蓋部を備えた一体的な展開形状であって、少なくとも前記底部と前記四方の側部と前記蓋部とが互いに境界をなす折曲線で折り曲げ可能に形成されているほか、前記蓋部の端部に設けられた差込片を差し込むための差込穴が前記箱体の所定箇所に形成されていることを特徴とする。
【００１３】
さらに、本発明による請求項４の管理票収納ケースは、請求項１、２又は３において、前記箱体の底部の端部付近に所定間隔をあけて固定された２つの折曲可能な綴込帯を各管理票の端部付近に設けられた２つの穴に挿通すると共に、前記綴込帯を押止部材の通し穴に通して側方へ折り曲げた状態にして前記押止部材にスライド自在に設けられた係止片で固定することを特徴とする。
【発明の効果】
【００１４】
本発明における管理票収納ケースによれば、未使用の管理票が収納されていた箱体を廃棄することなくそのまま用いて、使用後の保管すべき管理票を箱体の内部の綴込具で綴じた状態にして箱体の内部に収納することができるため、例えば、マニフェスト等の管理票が収納されたダンボール箱等を廃棄することなく再利用することが可能となる。しかも、保管すべきマニフェストは、箱体の内部で閉塞された状態となって、長期間保管する際にも、保管した管理票の劣化及び埃等の付着を防止することが可能となる。
【００１５】
さらに、保管すべきマニフェストは箱体に収納されているため、縦に立てた状態でも、横積みした状態でも、その保管状態が崩れることなく、整然と綺麗な状態で保管することが可能となる。
【発明を実施するための最良の形態】
【００１６】
以下、本発明の実施例について図面を参照しながら説明する。
【実施例１】
【００１７】
本実施例の管理票収納ケース１は、図１〜図６に示すように、底部４（図４参照）と四方の側部３ａ、３ｂ、３ｃ、３ｄ（図３参照）とを備えてなる箱体２の開放された上部を開閉自在に閉塞する蓋部６が設けられると共に、箱体２の底部４の上面にマニフェストＭを積み重ねた状態で綴じるようにした綴込具７が設けられた管理票収納ケース１であって、箱体２に使用前のマニフェストＭが収納可能であり、且つ使用後の保管すべきマニフェストＭを箱体２の内部の綴込具７で綴じられた状態にして箱体２に収納可能になるようにしたものである。
【００１８】
このような管理票収納ケース１について詳細に述べる。まず、本実施例の箱体２は、図３に示すように、蓋部６を備えた一体的な展開形状に形成されている。その箱体２の構成材料としては、通常のダンボール紙の他、厚紙や合成樹脂材料を使用してもよい。
【００１９】
また、その箱体２の展開形状の構成は、図３において、収納すべきマニフェストＭの平面形状よりも僅かに大なる面積を有する長方形状の底部４を中心として、図示の上辺に沿って形成された折曲線８ａを介して短辺の側部３ａが設けられ、さらにこの側部３ａの上辺に沿って形成された折曲線８ｂを介して底部４と同形状の蓋部６が設けられ、該蓋部６の端辺中央には折曲線８ｃを介して差込片９が形成されている。また、蓋部６において折曲線８ｃの近傍には蓋部６を開ける際に指を差し込んで引掛けることができる指掛穴５が形成されている。
【００２０】
なお、上記の蓋部６に設けられた指掛穴５は、図７（ａ）〜(ｃ)に示すように、箱体２の側部３ｂに設けてもよい。即ち、図７（ａ）における箱体２の前方の側部３ｂの中央上端に切欠き２６を形成し、この切欠き２６と対応した蓋部６の前端部位に切込み穴２７を設け、切込み穴２７の切開した端部２８（図７(ｃ)参照）を前方に起こした状態にして、蓋部６を開ける際に指を引っ掛けやすくした構成としてもよい。なお、図７(ｃ)は蓋部６の後述する差込片９を形成した箇所の部分断面図である。
【００２１】
一方、図３に示す底部４の下辺に沿って形成された折曲片８ｄを介して短辺の側部３ｂが設けられ、さらにこの短辺の側部３ｂの下辺に沿って形成された折曲片８ｅを介して短幅の覆い片１０ａが設けられている。この覆い片１０ａと短辺の側部３ｂとの間の折曲線８ｅの中央には上記の差込片９を差し込むことができる差込穴１１が形成されている。
【００２２】
また、図３において、底部４の左右には対称形状をなして、底部４の側辺に沿って形成された折曲線８ｆ、８ｇを介して長辺の側部３ｃ、３ｄが設けられ、この側部３ｃ、３ｄのさらに外方には折曲線８ｈ、８ｉを介して短幅の覆い片１０ｂ、１０ｃが設けられている。また、左側の側部３ｃの上下に形成された折曲線１２ａ、１２ｂを介して延長片１３ａ、１３ｂが形成され、右側の側部３ｄの上下に形成された折曲線１２ｃ、１２ｄを介して延長片１３ｃ、１３ｄが形成されている。
【００２３】
上記のように構成された展開形状の箱体２からなる管理票収納ケース１を組み立てるには、図３における左右の長辺の側部３ｃ、３ｄを底部４の左右の折曲片８ｆ、８ｇで折り曲げて、図４に示すように立ち上げると共に、左右夫々の上下の延長片１３ａ〜１３ｄを夫々の折曲線１２ａ〜１２ｄで折り曲げて、互いに内側に向ける。
【００２４】
次いで、図３における底部４の上方の短辺の側部３ａを折曲線８ａで折り曲げて立ち上げると共に、蓋部６を折曲線８ｂで折り曲げて、底部４の上方に向けて開閉自在とする。一方、図３における底部４の下方の短辺の側部３ｂを折曲線８ｄで折り曲げて立ち上げ、覆い片１０ａを折曲線８ｅで折り曲げて内側に向ける。
【００２５】
なお、このような箱体２の組み立てにおいて、図４に示すように、蓋部６を綴じる動作によって、蓋部６が延長片１３ａ、１３ｃの上辺を上方から押し下げるに従い、左右の長辺の側部３ｃ、３ｄが略垂直に立ち上げられた状態となる。また、図６（ａ）に示すように、蓋部６の差込片９を下方の差込穴１１に差し込む動作によって、覆い片１０ａが短辺の側部３ｂに対して略直角を成し、短辺の側部３ｂが垂直状に立ち上がると共に、覆い片１０ａが左右の延長片１３ｂ、１３ｄの上辺を押し下げる結果、左右の長辺の側部３ｃ、３ｄが略垂直に立ち上げられた状態となり、図６(ｂ)に示すように、組み立て後の箱体２は整然とした立方体の箱型形状を保つことができる。
【００２６】
一方、図３に示すように、上記のように構成された箱体２の底部４には、底部４における上辺（蓋部６側）に形成された折曲線８ａの近傍に、左方の貫通穴１４ａ、１４ｂと右方の貫通穴１４ｃ、１４ｄとが夫々所定幅だけ離間して形成されている。これらの貫通穴１４ａ〜１４ｃのうち、左右夫々の内側の貫通穴１４ｂ、１４ｃの離間幅は、図４に示すように、マニフェストＭ（図８参照）の端部付近に設けられた２つの穴１５ａ、１５ｂに対応すると共に、後述する綴込具７の押止部材２２に設けられた通し穴２３ａ、２３ｂ、さらには左右の綴込帯１６ａ、１６ｂにも対応するものである。
【００２７】
上記の綴込帯１６ａ、１６ｂは、本実施例においては、図５に示すように、可撓性の合成樹脂により形成された折曲可能な長尺片により形成され、その片側には滑り止めとして機能する多数の突起１７、１７…が並設され、夫々の綴込帯１６ａ、１６ｂの先端には先細り形状の先端部１８が形成され、後端には拡張部１９が形成されている。
【００２８】
また、本実施例においては、綴込帯１６ａ、１６ｂを取り付ける際の補強を成す補強片２０が設けられている。そして、図５に示すように、箱体２の底部４に設けられた左方の貫通穴１４ａ、１４ｂと右方の貫通穴１４ｃ、１４ｄに対応して、補強片２０にも、左方の貫通穴２１ａ、２１ｂと右方の貫通穴２１ｃ、２１ｄが形成されている。
【００２９】
図５に示すように、上記の補強片２０の左右の貫通穴２１ａ〜２１ｄを箱体２の底部４の取付孔１４ａ〜１４ｄに一致させ、この補強片２０をその裏面に塗布した接着剤で箱体２の底部４の上面に固定する。この状態で、例えば、図５に示す右方の綴込帯１６ｂの先端部１８を補強片２０の外側の貫通穴２１ｄの上方から下方に向けて挿通して取付孔１４ｄを通した後、綴込帯１６ｂを内側に折曲してから先端部１８を内側の貫通穴１４ｃの下方から上方に向けて挿通して貫通穴２１ｃを通して引き出すと、綴込帯１６ｂの拡張部１９が補強片２０の貫通穴２１ｄの上面に当接し、図５に示す左方の綴込帯１６ａで示す状態となる。このような操作を左右の綴込帯１６ａ、１６ｂに行うことによって、図４に示すように、左右の綴込帯１６ａ、１６ｂが左右の内側の貫通穴２１ｂ、２１ｃから上方へ抜き出された状態となる。
【００３０】
また、図４に示すように、綴込具７の長尺の押止部材２２には、マニフェストＭの穴１５ａ、１５ｂの離間幅に対応して形成された通し穴２３ａ、２３ｂが設けられ、さらに押止部材２２には夫々の通し穴２３ａ、２３ｂの上方をスライドする係止片２４ａ、２４ｂが摺動自在に嵌合されている。
【００３１】
上記の管理票収納ケース１を用いて、使用後の保管すべきマニフェストＭを収納するには、図４に示すように積み重ねた保管すべきマニフェストＭの左右の穴１５ａ、１５ｂに左右の綴込帯１６ａ、１６ｂを挿通し、さらにこの綴込帯１６ａ、１６ｂを押止部材２２の左右の通し穴２３ａ、２３ｂにも挿通し、次いで係止片２４ａ、２４ｂをスライドすることによって、図２に示すように、各係止片２４ａ、２４ｂで左右の綴込帯１６ａ、１６ｂを折曲した状態にして押さえ込む。
【００３２】
この状態から、図１に示すように、蓋部６を箱体２の開放された上部に被せ、図６（ａ）に示すように、差込片９を差込穴１１に挿通することによって、図６(ｂ)に示すように整然とした箱形状に形成する。
【００３３】
なお、上記のように組み立てられた管理票収納ケース１内に収納する管理票の例として、１セットで複数枚綴りの紙面を有するマニフェストＭを適用してあるが、使用後に保管すべき他の管理票又は伝票等であっても、本実施例のマニフェストＭと同様に適用することが可能である。
【００３４】
また、マニフェストＭの使用者は、使用前のマニフェストＭの所定セット数が箱体２に収納された状態で供給され、箱体２内のマニフェストＭを取り出してから使用した後、空になった箱体２を再利用して、使用後に保管すべきマニフェストＭを箱体２内の綴込具７で綴り込んだ状態にして、箱体２内に収納することができる。このような収納状態では、箱体２の内部に収納されたマニフェストＭは、外気に触れることがなく、長期間であっても、埃が付着し難く、劣化し難い状態で保管されることとなる。
【００３５】
また、保管すべきマニフェストＭは箱体２内に一端が固定された状態で収納されているため、この箱体２を縦に立てた状態でも、横積みした状態でも、それらの保管状態が崩れることなく、整然と綺麗な状態で保管することが可能となる。
【００３６】
なお、図６（ａ）、(ｂ)に示すように、管理票収納ケース１の蓋部６の上面に表示片２５を付設し、この表示片２５にマニフェストＭの保管事項等を記載することによって、箱体２の内部で保管されているマニフェストＭの内容を容易に判別することができ、利便となる。
【産業上の利用可能性】
【００３７】
本発明の管理票収納ケースは、マニフェスト等の管理票が収納されたダンボール箱等を廃棄することなく再利用し、しかもマニフェスト等の管理票を容易に整然と綺麗な状態で保管することができ、長期間保管する際にも、保管した管理票の劣化及び埃の付着を防止することができる管理票収納ケースとして利用することが可能である。
【図面の簡単な説明】
【００３８】
【図１】本発明による管理票収納ケースにマニフェストを収納した状態を示す斜視図である。
【図２】本発明による管理票収納ケースにマニフェストを収納した状態を示す斜視図であり、内部の構成が見えるように透視的に図示してある。
【図３】本発明による管理票収納ケースの展開形状を示す平面図である。
【図４】本発明による管理票収納ケースにマニフェストを収納する状態を示す斜視図であり、箱体は透視的に図示してある。
【図５】本発明による管理票収納ケースの綴込具の綴込帯を挿着する状況を示す部分断面図である。
【図６】(ａ)は本発明による管理票収納ケースの蓋部を閉じている状態を示す斜視図であり、(ｂ)は蓋部を綴じた状態を示す斜視図である。
【図７】(ａ)〜(ｃ)は、図６（ａ）、(ｂ)に示す管理票収納ケースに設けられた指掛穴の他の実施例を示す図である。
【図８】本発明による管理票収納ケースに収納するマニフェストの一例を示す平面図である。
【図９】従来の管理票収納ケースの一例を示す斜視図である。
【図１０】従来の管理票収納ケースの他の例を示す斜視図である。
【符号の説明】
【００３９】
１  管理票収納ケース
２  箱体
３ａ、３ｂ  短辺の側部
３ｃ、３ｄ  長辺の側部
４  底部
５  指掛穴
６  蓋部
７  綴込具
８ａ、８ｂ、８ｃ、８ｄ、８ｅ、８ｆ、８ｇ、８ｈ、８ｉ  折曲線
９  差込片
１０ａ、１０ｂ、１０ｃ  覆い片
１１  差込穴
１２ａ、１２ｂ、１２ｃ、１２ｄ  折曲線
１３ａ、１３ｂ、１３ｃ、１３ｄ  延長片
１４ａ、１４ｂ、１４ｃ、１４ｄ  貫通穴
１５ａ、１５ｂ  マニフェストの穴
１６ａ、１６ｂ  綴込帯
１７  突起
１８  先端部
１９  拡張部
２０  補強片
２１ａ、２１ｂ、２１ｃ、２１ｄ  貫通穴
２２  押止部材
２３ａ、２３ｂ  通し穴
２４ａ、２４ｂ  係止片
２５  表示片
２６  切欠き
２７  切込み穴
２８  切込み穴の切開した端部
Ｍ  マニフェスト
【図１】
2008105698.tif 000003
【図２】
2008105698.tif 000004
【図３】
2008105698.tif 000005
【図４】
2008105698.tif 000006
【図５】
2008105698.tif 000007
【図６】
2008105698.tif 000008
【図７】
2008105698.tif 000009
【図８】
2008105698.tif 000010
【図９】
2008105698.tif 000011
【図１０】
2008105698.tif 000012